(57)【要約】【課題】  無駄なキノコが発生する不具合やキノコの品質低下を招く不具合などを解消するとともに、ビン口部に装着した際の装着位置（装着角度）を常に安定に維持する。【解決手段】  ビン口着脱部２を、ビン口部Ｂｒの内面Ｂｒｉに係合する内側係合部２ｉ及びビン口部Ｂｒの外面Ｂｒｏに係合する外側係合部２ｏにより、ビン口部Ｂｒに対して上から着脱可能に構成するとともに、内側係合部２ｉを含むキャップ本体部３の内周部３ｉに、上下方向中間位置Ｘｍをビン口部Ｂｒの中心側へ盛上形成することにより、中間位置Ｘｍから下端位置Ｘｄまで下広がりのテーパによる下ガイド面Ｇｄを設け、かつ中間位置Ｘｍから上端位置Ｘｕまで上広がりのテーパによる上ガイド面Ｇｕを設ける。【選択図】  図１
2009171878.tif 000002
【特許請求の範囲】
【請求項１】
キノコ栽培ビンのビン口部に着脱するビン口着脱部及びキノコの全体の形を整える小径開口部を設けたリング状のキャップ本体部を有するキノコ栽培用キャップにおいて、前記ビン口着脱部を、前記ビン口部の内面に係合する筒状の内側係合部及び前記ビン口部の外面に係合する筒状の外側係合部により、前記ビン口部に対して上から着脱可能に構成するとともに、前記内側係合部を含む前記キャップ本体部の内周部に、上下方向中間位置を前記ビン口部の中心側へ盛上形成することにより、前記中間位置から下端位置まで下広がりのテーパによる下ガイド面を設け、かつ前記中間位置から上端位置まで上広がりのテーパによる上ガイド面を設けてなることを特徴とするキノコ栽培用キャップ。
【請求項２】
前記外側係合部の内面部には、前記ビン口部に対してクリック的に係合する複数の係合突起部を周方向へ所定間隔おきに設けることを特徴とする請求項１記載のキノコ栽培用キャップ。
【請求項３】
前記外側係合部には、前記係合突起部の周方向両側に形成した一対のスリット部により、前記係合突起部を弾性変位させるバネ片部を設けることを特徴する請求項２記載のキノコ栽培用キャップ。
【請求項４】
前記キャップ本体部の外周部には、前記ビン口部に装着し、及び／又は前記ビン口部から離脱させる際の治具が係止する鍔状の治具係止部を設けることを特徴とする請求項１記載のキノコ栽培用キャップ。
【発明の詳細な説明】
【技術分野】
【０００１】
本発明は、キノコ栽培ビンのビン口部に着脱するビン口着脱部及びキノコ全体の形を整える小径開口部を設けたキャップ本体部を有するキノコ栽培用キャップに関する。
【背景技術】
【０００２】
従来、キノコ栽培ビンのビン口部に着脱するビン口着脱部及びキノコ全体の形を整える小径開口部を設けたリング状のキャップ本体部を有するキノコ栽培用キャップは知られており、特許文献１には、培地が充填された広口栽培ビンの頚部に着脱可能なキノコ栽培ビン用キャップであって、広口栽培ビンの開口に嵌着されるリング状嵌着部と、この嵌着部より内側下方に伸張し、先端が培地上面に近接する細口開口を形成する下降天面とを備えたキノコの栽培ビン用キャップが開示されている。
【特許文献１】特開２００７−２１５４１７号公報
【発明の開示】
【発明が解決しようとする課題】
【０００３】
しかし、上述した従来のキノコ栽培用キャップ（栽培ビン用キャップ）は、次のような問題点があった。
【０００４】
第一に、この種のキャップは、中心に小径の開口部を設けてキノコ全体の形（株径）が一定となるように規制しているため、当該開口部よりも外側に位置するキノコの有効な生育が阻害され、結果的に、無駄なキノコ（無効キノコ）の発生が無視できないとともに、養分が無駄に摂取されることから正規のキノコの生育にとっても好ましいものではない。しかも、無効キノコが培地に残留することから廃培地の処理（再利用処理等）にとっても不都合となる。
【０００５】
第二に、この種のキャップは、自動化設備によりビン口部に対して自動で装着又は離脱が行われるとともに、特に、離脱はキノコの収穫も兼ねている。しかし、キャップの内周縁がエッジ状となるため、収穫時に、キノコの茎部に傷を付け、キノコの品質低下を招いたり不良キノコを発生させやすい。
【０００６】
第三に、キノコの生長時には、菌糸の蔓延や上述した無効キノコの発生によりキャップに対して下から相当に大きな力が付与されるため、キャップが容易に動かないように確実に保持する必要があるとともに、他方において、自動化設備により、ビン口部に対してキャップを円滑に着脱する必要があるが、このような相反する問題への有効な対策が不十分である。
【０００７】
本発明は、このような背景技術に存在する課題を解決したキノコ栽培用キャップの提供を目的とするものである。
【課題を解決するための手段】
【０００８】
本発明は、上述した課題を解決するため、キノコ栽培ビンＢのビン口部Ｂｒに着脱するビン口着脱部２及びキノコＭ…の全体の形を整える小径開口部３ｓを設けたリング状のキャップ本体部３を有するキノコ栽培用キャップ１を構成するに際して、ビン口着脱部２を、ビン口部Ｂｒの内面Ｂｒｉに係合する筒状の内側係合部２ｉ及びビン口部Ｂｒの外面Ｂｒｏに係合する筒状の外側係合部２ｏにより、ビン口部Ｂｒに対して上から着脱可能に構成するとともに、内側係合部２ｉを含むキャップ本体部３の内周部３ｉに、上下方向中間位置Ｘｍをビン口部Ｂｒの中心側へ盛上形成することにより、中間位置Ｘｍから下端位置Ｘｄまで下広がりのテーパによる下ガイド面Ｇｄを設け、かつ中間位置Ｘｍから上端位置Ｘｕまで上広がりのテーパによる上ガイド面Ｇｕを設けてなることを特徴とする。
【０００９】
この場合、発明の好適な態様により、外側係合部２ｏの内面部２ｏｉには、ビン口部Ｂｒに対してクリック的に係合する複数の係合突起部４…を周方向へ所定間隔おきに設けることができるとともに、この際、外側係合部２ｏには、係合突起部４…の周方向両側に形成した一対のスリット部５ｓ，５ｓ…により、係合突起部４…を弾性変位させるバネ片部６…を設けることができる。一方、キャップ本体部３の外周部３ｏには、ビン口部Ｂｒに装着し、及び／又はビン口部Ｂｒから離脱させる際の治具が係止する鍔状の治具係止部７を設けることができる。
【発明の効果】
【００１０】
このような構成を有する本発明に係るキノコ栽培用キャップ１によれば、次のような顕著な効果を奏する。
【００１１】
（１）  内側係合部２ｉを含むキャップ本体部３の内周部３ｉに、中間位置Ｘｍから下端位置Ｘｄまで下広がりのテーパによる下ガイド面Ｇｄを設けたため、小径開口部３ｓよりも外側に位置するキノコＭ…も有効に生長させることができる。したがって、無駄なキノコが発生する不具合や養分が無駄に摂取されることにより正規のキノコＭ…の生育に悪影響を及ぼす不具合を解消できるとともに、キノコが培地に残留して廃培地の処理（再利用処理等）にとって不都合となる不具合も解消できる。
【００１２】
（２）  内側係合部２ｉを含むキャップ本体部３の内周部３ｉに、上下方向中間位置Ｘｍをビン口部Ｂｒの中心側へ盛上形成することにより下ガイド面Ｇｄ及び上ガイド面Ｇｕを設けたため、キノコ栽培用キャップ１をキノコＭ…の収穫を兼ねてビン口部Ｂｒから離脱させる場合であっても、キノコＭ…の茎部に傷を付けることがなく、キノコＭ…の品質低下を招いたり不良キノコを発生させる不具合を解消できる。
【００１３】
（３）  ビン口着脱部２を、ビン口部Ｂｒの内面Ｂｒｉに係合する筒状の内側係合部２ｉ及びビン口部Ｂｒの外面Ｂｒｏに係合する筒状の外側係合部２ｏにより、ビン口部Ｂｒに対して上から着脱可能に構成したため、ビン口部Ｂｒにキノコ栽培用キャップ１を装着した際の装着位置（装着角度）を常に安定に維持できる。
【００１４】
（４）  好適な態様により、外側係合部２ｏの内面部２ｏｉに、ビン口部Ｂｒに対してクリック的に係合する複数の係合突起部４…を周方向へ所定間隔おきに設ければ、ビン口部Ｂｒに装着したキノコ栽培用キャップ１をより確実に保持することができる。
【００１５】
（５）  好適な態様により、外側係合部２ｏに、係合突起部４…の周方向両側に形成した一対のスリット部５ｓ，５ｓ…により、係合突起部４…を弾性変位させるバネ片部６…を設ければ、ビン口部Ｂｒに装着したキノコ栽培用キャップ１の確実な保持とビン口部Ｂｒに対するキノコ栽培用キャップ１の円滑な着脱、の双方の相反する課題を容易に最適化できる。
【００１６】
（６）  好適な態様により、キャップ本体部３の外周部３ｏに、ビン口部Ｂｒに装着し、及び／又はビン口部Ｂｒから離脱させる際の治具が係止する鍔状の治具係止部７を設ければ、ビン口部Ｂｒに対するキノコ栽培用キャップ１の着脱を容易に自動化できるとともに、特に、係合突起部４…を弾性変位させるバネ片部６…との組合わせにより最適な動作を実現できる。
【発明を実施するための最良の形態】
【００１７】
次に、本発明に係る最良の実施形態を挙げ、図面に基づき詳細に説明する。
【００１８】
まず、本実施形態に係るキノコ栽培用キャップ１の構成について、図１〜図６を参照して説明する。
【００１９】
キノコ栽培用キャップ１は、全体をポリプロピレン等の合成樹脂素材により一体成形する。キノコ栽培用キャップ１は、基本的な構成として、ビン口着脱部２とキャップ本体部３を備え、図１に示すように、キノコ栽培ビンＢのビン口部Ｂｒに装着（着脱）して使用する。なお、図１に示すキノコ栽培ビンＢは、８５０〔ｃｃ〕程度の容量を有する合成樹脂素材（ポリプロピレン等）製の一般的なキノコ栽培ビンであり、上端が開口した円筒状のビン口部Ｂｒを有するとともに、ビン口部Ｂｒの上端部外面には、周方向に沿ったリング状の大径縁部Ｂｒｃを有する。
【００２０】
キノコ栽培用キャップ１において、キャップ本体部３は、キノコ栽培用キャップ１の上半部を構成し、キノコＭ…の全体の形を整えるための小径開口部３ｓを有するリング状を成すとともに、このキャップ本体部３の下端には、キノコ栽培用キャップ１の下半部を構成するビン口着脱部２を一体に設ける。ビン口着脱部２は、ビン口部Ｂｒの内面Ｂｒｉに係合する筒状の内側係合部２ｉと、ビン口部Ｂｒの外面Ｂｒｏに係合する筒状の外側係合部２ｏとを有する。これにより、ビン口着脱部２は、ビン口部Ｂｒに対して上から直接着脱可能となる。この場合、内側係合部２ｉの少なくとも下部はビン口部Ｂｒの内面Ｂｒｉに当接する。また、外側係合部２ｏの内面部２ｏｉには、ビン口部Ｂｒに対してクリック的に係合する複数（例示は六つ）の係合突起部４…を周方向へ一定間隔おきに設ける（図６参照）。係合突起部４…は、ビン口着脱部２をビン口部Ｂｒに装着した際に、大径縁部Ｂｒｃの下端に係合可能な位置及び突出長などを選定する。さらに、外側係合部２ｏには、係合突起部４…の周方向両側に一対のスリット部５ｓ，５ｓ…を形成し、係合突起部４…を弾性変位させるバネ片部６…を設ける。この場合、スリット部５ｓ，５ｓの間隔及び長さを選定することによりバネ片部６の弾性度合を設定する。
【００２１】
このように、キノコ栽培用キャップ１は、外側係合部２ｏの内面部２ｏｉに、ビン口部Ｂｒに対してクリック的に係合する複数の係合突起部４…を周方向へ所定間隔おきに設けたため、ビン口部Ｂｒに装着したキノコ栽培用キャップ１をより確実に保持できる利点がある。加えて、外側係合部２ｏには、係合突起部４…の周方向両側に形成した一対のスリット部５ｓ，５ｓ…により、係合突起部４…を弾性変位させるバネ片部６…を設けたため、ビン口部Ｂｒに装着したキノコ栽培用キャップ１の確実な保持とビン口部Ｂｒに対するキノコ栽培用キャップ１の円滑な着脱、の双方の相反する課題を容易に最適化できる利点がある。
【００２２】
他方、内側係合部２ｉを含むキャップ本体部３の内周部３ｉには、図１に示すように、内周部３ｉの上下方向中間位置Ｘｍをビン口部Ｂｒの中心側へ盛上形成することにより、中間位置Ｘｍから下端位置Ｘｄまで下広がりのテーパによる下ガイド面Ｇｄを設けるとともに、中間位置Ｘｍから上端位置Ｘｕまで上広がりのテーパによる上ガイド面Ｇｕを設ける。したがって、中間位置Ｘｍにおける内周部３ｉにより囲まれる空間が、キノコＭが外部に突出して生長する小径開口部３ｓとなる。この場合、内側係合部２ｉの断面は、図１に示すように、下端が尖形となるため、下ガイド面Ｇｄの下端は、ビン口部Ｂｒの内面Ｂｒｉに近接し、内面Ｂｒｉと下ガイド面Ｇｄは鈍角により連続する。下ガイド面Ｇｄ及び上ガイド面Ｇｕの角度は、水平線に対して概ね４５〔゜〕前後が望ましい。さらに、キャップ本体部３の外周部３ｏには、ビン口部Ｂｒに装着し、及び／又はビン口部Ｂｒから離脱させる際の治具（不図示）が係止する鍔状の治具係止部７を設ける。このような治具係止部７を一体に設けることにより、ビン口部Ｂｒに対するキノコ栽培用キャップ１の着脱を容易に自動化できるとともに、特に、係合突起部４…を弾性変位させるバネ片部６…との組合わせにより最適な動作を実現できる利点がある。
【００２３】
次に、キノコの栽培工程を含む本実施形態に係るキノコ栽培用キャップ１の使用方法及び作用について、図１〜図６、更に、図７（ａ）〜（ｃ）を参照して説明する。
【００２４】
まず、複数のキノコ栽培ビンＢ…の内部に培地Ｓ…を充填する。図１に示す仮想線がキノコ栽培ビンＢに充填した培地Ｓの上面を示す。次いで、培地Ｓを充填したキノコ栽培ビンＢ（他のキノコ栽培ビンＢも同じ）を殺菌室に収容して殺菌処理するとともに、殺菌処理が終了したなら培地Ｓにキノコの種菌を接種する。この場合、栽培するキノコは、ブナシメジやエリンギ等、その種類は問わない。一方、種菌を接種したキノコ栽培ビンＢは培養室に収容し、培養温度を設定した環境下で菌糸の培養を行う。これにより、培地Ｓの上面には菌糸が蔓延する。なお、キノコの種類により菌掻きが必要な場合には、菌糸の蔓延後に菌掻き行う。
【００２５】
以上の工程が終了したなら、キノコ栽培ビンＢに本実施形態に係るキノコ栽培用キャップ１を装着する。即ち、図１に示すように、キノコ栽培用キャップ１のビン口着脱部２を、ビン口部Ｂｒに対して上から直接装着する。これにより、ビン口部Ｂｒの内面Ｂｒｉに、筒状の内側係合部２ｉが係合するとともに、ビン口部Ｂｒの外面Ｂｒｏに、筒状の外側係合部２ｏが係合する。これにより、ビン口部Ｂｒにキノコ栽培用キャップ１を装着した際の装着位置（装着角度）を常に安定に維持できる。
【００２６】
一方、キノコ栽培用キャップ１を装着したキノコ栽培ビンＢは、芽出し室に収容して芽出しを行う。図７（ａ）が発芽状態を示している。発芽したならキノコ栽培ビンＢを生育室に移し、収穫まで生育させる。この場合、キノコＭ…の種類に応じた生育期間及び生育温度の環境下で生育させる。生育するキノコＭ…は、図７（ｂ）に示すように、小径開口部３ｓの直下にあれば、そのまま上方へ生長するが、小径開口部３ｓよりも外側にあれば、下ガイド面Ｇｄに沿って小径開口部３ｓまでガイドされる。
【００２７】
このように、キノコ栽培用キャップ１は、内側係合部２ｉを含むキャップ本体部３の内周部３ｉに、中間位置Ｘｍから下端位置Ｘｄまで下広がりのテーパによる下ガイド面Ｇｄを設けたため、小径開口部３ｓよりも外側に位置するキノコＭ…も有効に生長させることができる。したがって、無駄なキノコが発生する不具合や養分が無駄に摂取されることにより正規のキノコＭ…の生育に悪影響を及ぼす不具合を解消できるとともに、キノコが培地に残留して廃培地の処理（再利用処理等）にとって不都合となる不具合も解消できる利点がある。
【００２８】
さらに、キノコＭ…が生育して収穫間近になれば、図７（ｃ）に示すように、キノコＭ…の一株は、上ガイド面Ｇｕに沿って全体の形が整えられる。そして、収穫時期には、キノコ栽培ビンＢを固定し、自動化設備における治具（不図示）を治具係止部７に係止し、キノコ栽培用キャップ１をそのまま上方へ持ち上げる。これにより、キノコ栽培用キャップ１はビン口部Ｂｒから離脱するとともに、キノコＭ…は上ガイド面Ｇｕに係止するため、キノコ栽培用キャップ１の離脱と同時にキノコＭ…の収穫も自動で行われる。
【００２９】
このように、キノコ栽培用キャップ１は、内側係合部２ｉを含むキャップ本体部３の内周部３ｉに、上下方向中間位置Ｘｍをビン口部Ｂｒの中心側へ盛上形成することにより下ガイド面Ｇｄ及び上ガイド面Ｇｕを設けたため、キノコ栽培用キャップ１をキノコＭ…の収穫を兼ねてビン口部Ｂｒから離脱させる場合であっても、キノコＭ…の茎部に傷を付けることがなく、キノコＭ…の品質低下を招いたり不良キノコを発生させる不具合を解消できる利点がある。
【００３０】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【図面の簡単な説明】
【００３１】
【図１】本発明の最良の実施形態に係るキノコ栽培用キャップをビン口部に装着した状態を示す断面正面図、
【図２】同キノコ栽培用キャップの断面正面図、
【図３】同キノコ栽培用キャップの正面図、
【図４】同キノコ栽培用キャップの斜視図、
【図５】同キノコ栽培用キャップの平面図、
【図６】同キノコ栽培用キャップの底面図、
【図７】同キノコ栽培用キャップの使用方法及び作用を説明するための説明図、
【符号の説明】
【００３２】
１：キノコ栽培用キャップ，２：ビン口着脱部，２ｉ：内側係合部，２ｏ：外側係合部，２ｏｉ：外側係合部の内面部，３：キャップ本体部，３ｓ：小径開口部，３ｉ：内周部，３ｏ：外周部，４…：係合突起部，５ｓ…：スリット部，６…：バネ片部，７：治具係止部，Ｂ：キノコ栽培ビン，Ｂｒ：ビン口部，Ｂｒｉ：ビン口部の内面，Ｂｒｏ：ビン口部の外面，Ｍ…：キノコ，Ｘｍ：上下方向中間位置，Ｘｄ：下端位置，Ｘｕ：上端位置，Ｇｄ：下ガイド面，Ｇｕ：上ガイド面
【図１】
2009171878.tif 000003
【図２】
2009171878.tif 000004
【図３】
2009171878.tif 000005
【図４】
2009171878.tif 000006
【図５】
2009171878.tif 000007
【図６】
2009171878.tif 000008
【図７】
2009171878.tif 000009